(57)【要約】【課題】簡単な構造で可撓性配管を所定の曲げ角度に維持でき、作業性にも優れる可撓性配管用装着具を得る。【解決手段】可撓性配管用装着具２２は、ゴムホース１２が挿通される２つのカバー部材２４Ａ、２４Ｂと、その間の蛇腹部材２６を有する。カバー部材２４Ｂには、複数のピン３６が形成されており、カバー部材２４Ａ、２４Ｂが特定の傾斜角度θになったとき、この傾斜角度と一対一対応で、特定のピン３６が角度維持アーム３２の掛止孔３４に挿入される。【選択図】図３
2011021628.tif 000002
【特許請求の範囲】
【請求項１】
可撓性を有する配管部材に対し、この配管部材の長手方向の異なる箇所をそれぞれ保持する少なくとも２つの保持部材と、
２つの前記保持部材の間に備えられ、これら保持部材の傾斜角度が可変となるようにこれら保持部材どうしを連結する連結部材と、
前記連結部材で連結された２つの前記保持部材を所定の傾斜角度に維持する角度維持部材と、
を有する可撓性配管部材用装着具。
【請求項２】
前記保持部材が、筒状に内部に前記配管部材が挿通されるカバー部材である請求項１に記載の可撓性配管用装着具。
【請求項３】
前記カバー部材の内側に、挿通された前記配管部材とこのカバー部材の間に位置する多孔質部材が配置されている請求項２に記載の可撓性配管用装着具。
【請求項４】
前記多孔質部材が弾性を有している請求項３に記載の可撓性配管用装着具。
【請求項５】
前記角度維持部材が、
前記連結部材で連結された前記保持部材の一方から突出する複数のピンと、
前記連結部材で連結された前記保持部材の他方に回転可能に設けられ、保持部材どうじの角度に応じて複数の前記ピンのいずれか１つに掛止されるアームと、
を有する請求項１〜請求項４のいずれか１項に記載の可撓性配管用装着具。
【発明の詳細な説明】
【技術分野】
【０００１】
本発明は、ゴムホース等の可撓性配管に装着されて、可撓性配管を所定の曲げ角度に維持することが可能な可撓性配管装着具に関する。
【背景技術】
【０００２】
ゴムホース等の可撓性配管は、設置する場所に応じて曲げて配置されることがある。たとえば特許文献１には、管本体の両端部に設けた連結部によって配管と連結するようにし、管本体の可撓性によって配管を折り曲げるようにした可撓性管継手が記載されている。
【０００３】
しかし、特許文献１の構造では、配管を切断して可撓性管継手に連結する必要があり、作業工数が多くなる。
【０００４】
これに対し、特許文献２には、樹脂素材で形成されたホースの外側に、硬質樹脂や金属等の剛性素材で形成されたフレキシブル短管を被せる技術が記載されている。
【０００５】
しかし、特許文献２の構造では、フレキシブル短管が可撓性を有しているので、ホースを長期間に渡って所定の曲げ角度に維持することは難しい。
【０００６】
特許文献３には、筒状の本体の内部に埋設された塑性変形可能な線条の形状保持体を備え、可撓性の曲がりホースの外周に装着されるプロテクタが記載されている。
【０００７】
しかし、特許文献３のプロテクタでは、本体の内部に形状保持体を埋設する必要があるため、構造が複雑になり、形状保持体を用いない場合には、ホースを所定の曲げ角度に維持することは難しくなる。
【先行技術文献】
【特許文献】
【０００８】
【特許文献１】特開２００８−２８６２８０号
【特許文献２】実開平５−６６３９２号
【特許文献３】特開平７−１６７３７４号
【発明の概要】
【発明が解決しようとする課題】
【０００９】
本発明は上記事実を考慮し、簡単な構造で可撓性配管を所定の曲げ角度に維持でき、作業性にも優れる可撓性配管用装着具を得ることを課題とする。
【課題を解決するための手段】
【００１０】
請求項１に記載の発明では、可撓性を有する配管部材に対し、この配管部材の長手方向の異なる箇所をそれぞれ保持する少なくとも２つの保持部材と、２つの前記保持部材の間に備えられ、これら保持部材の傾斜角度が可変となるようにこれら保持部材どうしを連結する連結部材と、前記連結部材で連結された２つの前記保持部材を所定の傾斜角度に維持する角度維持部材と、を有する。
【００１１】
この可撓性配管用装着具では、１本の配管部材に対し、２つの保持部材が長手方向の異なる箇所を保持部材が保持する。２つの保持部材は連結部材で連結されており、保持部材の傾斜角度が可変となっている。したがって、２つの保持部材の傾斜角度を変えることで、保持部材に異なる２箇所で保持された配管部材も所定の曲げ角度で曲げられる。連結部材で連結された２つの保持部材は、角度維持部材によって所定の傾斜角度に維持されるので、保持部材に保持された配管部材も所定の曲げ角度に維持される。
【００１２】
このように、本発明の可撓性配管用装着具では、連結部材等に形状保持体等を埋設する必要がなく、角度維持部材を設ける簡単な構造で、保持部材に保持された配管部材も所定の曲げ角度に維持できる。しかも、配管部材を切断する必要もないので、作業性に優れる。
【００１３】
請求項２に記載の発明では、請求項１に記載の発明において、前記保持部材が、筒状に内部に前記配管部材が挿通されるカバー部材である。
【００１４】
保持部材をこのようなカバー部材とすることで、簡単な構造で配管部材を確実に保持できるようになる。
【００１５】
請求項３に記載の発明では、請求項２に記載の発明において、前記カバー部材の内側に、挿通された前記配管部材とこのカバー部材の間に位置する多孔質部材が配置されている。
【００１６】
多孔質部材により、カバー部材の内周面と配管部材の外周面との間に空気層が存在することになるので、配管部材を保温することができる。
【００１７】
請求項４に記載の発明では、請求項３に記載の発明において、前記多孔質部材が弾性を有している。
【００１８】
多孔質部材の弾性によって、配管部材を外力から保護することができる。
【００１９】
請求項５に記載の発明では、請求項１〜請求項４のいずれか１項に記載の発明において、前記角度維持部材が、前記連結部材で連結された前記保持部材の一方から突出する複数のピンと、前記連結部材で連結された前記保持部材の他方に回転可能に設けられ、保持部材どうじの角度に応じて複数の前記ピンのいずれか１つに掛止されるアームと、を有する。
【００２０】
したがって、保持部材が所定の傾斜角度となった状態で、アームを保持部材の他方に対し回転させ、保持部材の一方から突出する複数のピンの１つに掛止する。これにより、保持部材を所定の傾斜角度に維持できる。ピンは複数設けられており、保持部材どうしの角度におうじて１つのピンにアームを掛止するので、複数の傾斜角度で保持部材を維持することが可能になる。
【発明の効果】
【００２１】
本発明は上記構成としたので、簡単な構造で可撓性配管を所定の曲げ角度に維持でき、作業性にも優れる。
【図面の簡単な説明】
【００２２】
【図１】本発明の第１実施形態の可撓性配管用装着具をストレート状態で示す平面図である。
【図２】本発明の可撓性配管用装着具が機器間のゴムホースに適用された状態を示す説明図である。
【図３】本発明の第１実施形態の可撓性配管用装着具を傾斜角度が９０度の状態で示す平面図である。
【図４】本発明の第１実施形態の可撓性配管用装着具を示す平面図であり、（Ａ）は傾斜角度が略３０度、（Ｂ）は傾斜角度が略６０度、（Ｃ）は傾斜角度が略１２０度、（Ｄ）は傾斜角度が略１５０°の状態である。
【図５】本発明の第１実施形態の可撓性配管用装着具を傾斜角度が９０度の状態で示す背面図である。
【図６】本発明の第２実施形態の可撓性配管用装着具を傾斜角度が９０度の状態で示す平面図である。
【図７】本発明の第３実施形態の可撓性配管用装着具を傾斜角度が９０度の状態で示す平面図である。
【発明を実施するための形態】
【００２３】
図１には、本発明の第１一実施形態の可撓性配管用装着具２２が示されている。また、図２には、この可撓性配管用装着具２２を、２つの機器１４、１６を繋ぐゴムホースに装着した状態が示されている。ゴムホース１２は、機器１４、１６の間で、所定の曲げ位置で曲げて配設されており、可撓性配管用装着具２２は、ゴムホース１２を所定の曲げ角度に維持するために使用される。なお、機器１４、１６は、一方から他方へ液体や気体等の流体を移動させることが想定されるものであれば特には限定されず、たとえば、貯湯タンクユニットやヒートポンプユニット等を上げることができる。
【００２４】
図１に示すように、可撓性配管用装着具２２は、円筒状に形成された２つのカバー部材２４Ａ、２４Ｂを有し、さらに、これらカバー部材２４Ａ、２４Ｂの間でカバー部材２４Ａ、２４Ｂを連結する蛇腹部材２６を有している。カバー部材２４Ａ、２４Ｂ及び蛇腹部材２６の内径は、ゴムホース１２の外径よりも大きく形成されており、これらの内側にゴムホース１２を挿通することができる。挿通状態では、カバー部材２４Ａ、２４Ｂによって、ゴムホース１２の長手方向の異なる箇所を保持する。
【００２５】
特に本実施形態では、図３に示すように、カバー部材２４Ａ、２４Ｂの内周側には、円筒状のスポンジ部材２８（多孔質部材）が取り付けられており、ゴムホース１２は、このスポンジ部材２８の内側を挿通される。スポンジ部材２８は多数の空孔を有すると共に弾性を備えている。このため、ゴムホース１２を保温すると共に、外力から保護する作用を奏する。
【００２６】
図１から分かるように、蛇腹部材２６は、通常状態では、２つのカバー部材２４Ａ、２４Ｂをストレート形状に維持しているが、図３及び図４（Ａ）〜（Ｄ）に示すように、２つのカバー部材２４Ａ、２４Ｂの傾斜角度θ、すなわち、一方のカバー部材２４Ａに対して他方のカバー部材２４Ｂが成す角度が変化するように変形可能とされている。そして、このようのカバー部材２４Ａ、２４Ｂの傾斜角度θが変化することで、カバー部材２４Ａ、２４Ｂに、長手方向の異なる箇所を保持されたゴムホース１２も、その曲げ角度が変化する。
【００２７】
図１及び図３に示すように、一方のカバー部材２４Ａには、一端側の支軸３０を中心にして回転可能な角度維持アーム３２が取り付けられている。角度維持アーム３２の他端側には、後述するピン３６が挿入されて掛止される掛止孔３４が形成されている。また、図５に示すように、角度維持アーム３２は、一端側及び他端側を除く中間部分は薄板状に形成され板バネ片３２Ｂとして機能するようになっている。すなわち、図５に二点鎖線で示すように、角度維持アーム３２を全体として弾性的に撓ませて、他端側をカバー部材２４Ａの径方向外側へと移動させることができる。
【００２８】
他方のカバー部材２４Ｂには、外周面から径方向外側に突出する複数（本実施形態では５本）のピン３６が形成されている（便宜上、蛇腹部材２６に近い側から順に３６Ａ、３６Ｂ、３６Ｃ、３６Ｄ、３６Ｅと区別する）。図３及び図４（Ａ）〜（Ｄ）から分かるように、カバー部材２４Ａ、２４Ｂが特定の傾斜角度θになったとき、この傾斜角度と一対一対応で特定のピン３６が角度維持アーム３２の掛止孔３４に挿入される。
【００２９】
このように、角度維持アーム３２が特定のピン３６に掛止されることで、カバー部材２４Ａ、２４Ｂが特定の傾斜角度に維持され、ゴムホース１２も特定の曲げ角度に維持される。特に本実施形態では、θが略３０度のときピン３６Ａが（図４（Ａ）参照）、略６０度のときピン３６Ｂが（図４（Ｂ）参照）、略９０度のときピン３６Ｃが（図３参照）、略１２０度のときピン３６Ｄが（図４（Ｃ）参照）、略１５０度のときピン３６Ｅが（図４（Ｄ）参照）、それぞれ掛止孔３４に挿通されるように、ピン３６の位置を設定している。
【００３０】
図１及び図３に示すように、カバー部材２４Ａには、傾斜角度制限突起３８が形成されている。この傾斜角度制限突起３８は、カバー部材２４Ａ、２４Ｂの傾斜角度が所定値になると、カバー部材２４Ｂに接触して、それ以上の傾斜を制限する。
【００３１】
カバー部材２４Ａには、角度維持アーム３２がカバー部材２４Ａと平行になった状態（いずれのピン３６も掛止孔３４に掛止されていない）で、角度維持アーム３２の掛止孔３４に形成されて角度維持アーム３２を保持する保持ピン４０が形成されている。
【００３２】
次に、本実施形態の可撓性配管用装着具２２の作用を説明する。
【００３３】
図１に示すように、可撓性配管用装着具２２がゴムホース１２に装着された状態では、カバー部材２４Ａ、２４Ｂが、ゴムホース１２の長手方向の異なる箇所をそれぞれ保持している。
【００３４】
通常状態では、カバー部材２４Ａ、２４Ｂはストレート形状を維持しているため、ゴムホース１２も曲げられることなく（曲げ角度ゼロ）ストレートになっているが、カバー部材２４Ａ、２４Ｂは蛇腹部材２６で連結されているので、カバー部材２４Ａ、２４Ｂの傾斜角度θを変化させることができる。これにより、ゴムホース１２の曲げ角度も変化する。そして、所望の傾斜角度θとなったときに、角度維持アーム３２の他端側の掛止孔３４に、この家計者角度に対応する特定のピン３６を挿入して掛止させれば、カバー部材２４Ａ、２４Ｂが特定の傾斜角度に維持される。これにより、カバー部材２４Ａ、２４Ｂに長手方向の異なる２箇所を保持されたゴムホース１２も所定の曲げ角度に維持される。
【００３５】
また、このようにゴムホース１２が曲げられた状態では、ストレートの状態と比較して、曲げ部分近傍に外力が作用すると損傷や劣化が生じやすいが、本実施形態では、カバー部材２４Ａ、２４Ｂの内側に設けられたスポンジ部材によって、ゴムホース１２を保護することができ、上記した損傷や劣化を抑制することが可能である。
【００３６】
上記説明から分かるように、本実施形態の可撓性配管用装着具２２では、ゴムホース１２を所定の曲げ角度に維持するために、すなわち、カバー部材２４Ａ、２４Ｂを所定の傾斜角度に維持するために、角度維持アーム３２及びピン３６を用いており、従来の形状保持体等を蛇腹部材２６やカバー部材２４Ａ、２４Ｂに埋設する必要がない。したがって、可撓性配管用装着具２２として簡単な構造となる。
【００３７】
また、このようにゴムホース１２を所定の曲げ角度に維持するために、従来のようにゴムホース１２を切断して継手に連結する必要もないので、作業性に優れる。
【００３８】
一旦、可撓性配管用装着具２２を使用してゴムホース１２を所定の曲げ角度に維持すると、ゴムホース１２の曲げ位置及び形状が保持されることになる。これに対し、本実施形態の可撓性配管用装着具２２を使用することなくゴムホース１２を曲げた構成では、曲げ位置や曲げ角度が一定に定まらない等により見栄えが悪くなることが懸念されるが、本実施形態では、このような不都合がなく、見栄えも良くなる。また、本実施形態の可撓性配管用装着具２２を用いると、ゴムホース１２が過度に折り曲げられてしまうことも防止できるので、ゴムホース１２の耐久性が高くなる。
【００３９】
図６には、本発明の第２実施形態の可撓性配管用装着具５２が示されている。第２実施形態において、第１実施形態と同一の構成要素、部材等については同一符号を付して、詳細な説明を省略する。
【００４０】
第２実施形態では、カバー部材２４Ａにピン３６が１つのみ形成されている。また、角度維持アーム５４には、５つの掛止孔３４（便宜上、３４Ａ、３４Ｂ、３４Ｃ、３４Ｄ、３４Ｅと区別する）が形成されている。そして、カバー部材２４Ａ、２４Ｂが特定の傾斜角度θになったとき、この傾斜角度と一対一対応で特定の掛止孔３４にピン３６が挿入される。このように、角度維持アーム５４が特定の掛止孔３４でピン３６に掛止されることで、カバー部材２４Ａ、２４Ｂが特定の傾斜角度に維持され、ゴムホース１２も特定の曲げ角度に維持される。特に本実施形態では、θが略３０度のとき掛止孔３４Ａに、略６０度のとき掛止孔３４Ｂに、略９０度のとき掛止孔３４Ｃに、略１２０度のとき掛止孔３４Ｄに、略１５０度のとき掛止孔３４Ｅに、それぞれピン３６が挿通されるように、掛止孔３４の位置を設定している。
【００４１】
このような構成の第２実施形態においても、ゴムホース１２を所定の曲げ角度に維持するために、従来の形状保持体等を蛇腹部材２６やカバー部材２４Ａ、２４Ｂに埋設する必要がないので、可撓性配管用装着具５２として簡単な構造となる。また、ゴムホース１２を所定の曲げ角度に維持するために、従来のようにゴムホース１２を切断して継手に連結する必要もないので、作業性に優れる。
【００４２】
図７には、本発明の第３実施形態の可撓性配管用装着具７２が示されている。第３実施形態において、第１実施形態又は第２実施形態と同一の構成要素、部材等については同一符号を付して、詳細な説明を省略する。
【００４３】
第３実施形態では、ピン３６に雄ネジ７４が形成されると共に、ナット７６がねじ込まれるようになっている。また、角度維持アーム７８には、第２実施形態の複数の掛止孔３４に代えて、１つの長孔８０が形成されている。長孔８０にはピン３６が挿通可能とされている。また、長孔８０の長さは、第２実施形態の掛止孔３４Ａから掛止孔３４Ｅに至る程度とされている。
【００４４】
このような構成の第３実施形態では、カバー部材２４Ａ、２４Ｂを任意の傾斜角度θとし、長孔８０に挿通されたピン３６の雄ネジ７４にナット７６を締めこむことで、カバー部材２４Ａ、２４Ｂをこの傾斜角度θに維持することができる。
【００４５】
すなわち、第３実施形態においても、ゴムホース１２を所定の曲げ角度に維持するために、従来の形状保持体等を蛇腹部材２６やカバー部材２４Ａ、２４Ｂに埋設する必要がないので、可撓性配管用装着具７２として簡単な構造となる。また、ゴムホース１２を所定の曲げ角度に維持するために、従来のようにゴムホース１２を切断して継手に連結する必要もないので、作業性に優れる。
【００４６】
特に第３実施形態では、長孔８０にピン３６が挿入される範囲内であれば、カバー部材２４Ａ、２４Ｂを任意の傾斜角度θに維持できるため、ゴムホース１２も任意の曲げ角度に維持できる。これに対し、第１実施形態では、特定のピン３６を掛止孔３４に挿入するだけであり、ナット７６を締めこむ必要がないので、第３実施形態よりも作業性に優れる。同様に第２実施形態においても、特定の掛止孔３４にピン３６を挿入するだけなので、第３実施形態よりも作業性に優れる。
【００４７】
なお、上記各実施形態では、本発明の保持部材として、円筒状に形成されて内部にゴムホース１２が挿通されるカバー部材２４Ａ、２４Ｂを挙げたが、本発明の保持部材はこれに限定されない。要するに、ゴムホース１２の長手方向の異なる２箇所（少なくとも２箇所でよいを保持できる構造であれば、その間の連結部材（上記実施形態では蛇腹部材２６）によって、保持部材の傾斜角度を可変とすることができ、これに伴ってゴムホース１２の曲げ角度も可変とすることができる。
【００４８】
本発明において、保持部材（カバー部材）を３つ以上設けてもよい。この場合、３つ以上の保持部材を直列で配置し、保持部材の間に連結部材（蛇腹部材）を設ければよい（蛇腹部材の数は、保持部材の数よりも必然的に１つ少なくなる）。そして、それぞれの蛇腹部材の両側の保持部材について、角度維持部材により所定の傾斜角度に維持できるように角度維持部材を配置すればよい。たとえば、３つの保持部材を設けた構造の可撓性配管用装着具では、この可撓性配管用装着部の全体的形状を略「Ｕ」字状、あるいは略「Ｚ」字状とすることも可能となる。
【００４９】
本発明の角度維持手段としても、上記した掛止孔、長孔等が形成された角度維持アームとピンとの組み合わせに限定されない。たとえば、カバー部材２４Ａ、２４Ｂの双方にアーム状の部材や板状の部材がネジやクリップ等で掛止される構造でもよい。
【００５０】
また、本発明において適用対象となる配管部材も、可撓性、すなわち柔軟性を有し、曲げ変形可能であれよい。すなわち、曲げ変形させることで施工性が高くなる。配管部材としては、上記したゴムホース１２に限定されず、たとえば、軟質樹脂製のホースであってもよい。
【符号の説明】
【００５１】
１２   ゴムホース
１４   機器
２２   可撓性配管用装着具
２４Ａ カバー部材
２４Ｂ カバー部材
２６   蛇腹部材
２８   スポンジ部材
３０   支軸
３２   角度維持アーム
３４   掛止孔
３６   ピン
３８   傾斜角度制限突起
５２   可撓性配管用装着具
５４   角度維持アーム
７２   可撓性配管用装着具
７４   雄ネジ
７６   ナット
７８   角度維持アーム
８０   長孔
θ     傾斜角度
【図１】
2011021628.tif 000003
【図２】
2011021628.tif 000004
【図３】
2011021628.tif 000005
【図４】
2011021628.tif 000006
【図５】
2011021628.tif 000007
【図６】
2011021628.tif 000008
【図７】
2011021628.tif 000009